(57)【要約】【課題】解錠対象となるＢＶユニット部の解錠を確実におこなうことができる遊技媒体貸出システムを提供する。【解決手段】玉貸出処理機２０は、管理サーバ２００に対して、施錠されたＢＶユニット部５０の解錠許可を要求する解錠許可要求通知を送信し、管理サーバ２００は、玉貸出処理機２０から送信された解錠許可要求通知に応じて、紙幣の収納状態を判定することにより、解錠許可通知或いは、解錠不許可通知の何れかを玉貸出処理機２０に送信し、管理サーバ２００から解錠許可通知が送信された場合、係員のリモコン９０によりＢＶユニット部５０の解錠を実行する。【選択図】        図１
2006320398.tif 000002
【特許請求の範囲】
【請求項１】
複数の遊技機にそれぞれ１対１に併設されるとともに、貨幣の受け入れにより、当該遊技機に対して遊技媒体の貸し出しをおこなう遊技媒体貸出処理機と、当該遊技媒体貸出処理機に対する入金情報の管理をおこなう管理装置とを備えた遊技媒体貸出システムにおいて、
前記遊技媒体貸出処理機は、
前記貨幣を内部に収納し、前記貨幣を取出し可能位置と不可能位置に変移可能な貨幣処理部と、
前記貨幣処理部を、前記貨幣取出し不可能位置で施錠するロック機構部と、
外部からの前記ロック機構部の解錠要求を受取る解錠要求受取部と、
前記管理装置からの解錠許可／不許可信号に従い、前記ロック機構部による施錠／解錠の制御をおこなう解錠制御手段と、
前記管理装置に対して、解錠要求信号を送信或は解錠許可／不許可信号の受信をおこなう通信Ｉ／Ｆ部とを備え、
前記管理装置は、
前記遊技媒体貸出処理機からの前記解錠要求信号の受信或いは前記解錠許可／不許可信号の送信をおこなう通信Ｉ／Ｆ部と、
前記遊技媒体貸出処理機からの前記解錠要求信号をどの遊技媒体貸出処理機から受けたかを表示する表示部と、
前記解錠要求信号を送信してきた前記遊技媒体貸出処理機の前記貨幣処理部の前記ロック機構を解錠するか否かを入力する解錠許可／不許可入力操作部と
を備えことを特徴とする遊技媒体貸出システム。
【請求項２】
前記管理装置は、
予め設定された解錠許可条件或いは、解錠不許可条件に従って、前記解錠要求信号を受信すると自動的に判定をおこない、その結果を前記遊技媒体貸出処理機へ送信することを特徴とする請求項１に記載の遊技媒体貸出システム。
【請求項３】
前記遊技媒体貸出処理機は、
前記管理装置から前記解錠許可信号を受信すると、自動的に前記ロック機構部を解錠することを特徴とする請求項１または２に記載の遊技媒体貸出システム。
【請求項４】
前記遊技媒体貸出処理機は、
前記管理装置から前記解錠許可信号を受信すると、解錠動作指示待ち状態になり、前記解錠動作指示待ち状態において、再度、解錠要求を受取ると、前記ロック機構部を解錠することを特徴とする請求項１または２に記載の遊技媒体貸出システム。
【請求項５】
前記遊技媒体貸出処理機は、
前記貨幣処理部内の貨幣の収納状態を検知する貨幣収納状態検知手段を有し、前記管理装置へ前記解錠要求信号を送信する際に、前記貨幣処理部内の貨幣収納状態も併せて送信をおこない、
前記管理装置は、
前記表示部で前記貨幣処理部の貨幣収納状態も表示することを特徴とする請求項１〜４のいずれか一つに記載の遊技媒体貸出システム。
【請求項６】
前記解錠要求受取部への解錠要求は、前記遊技媒体貸出処理機に対して所定の信号を送信する無線式の遠隔操作装置によっておこなわれることを特徴とする請求項１〜５のいずれか一つに記載の遊技媒体貸出システム。
【請求項７】
前記遊技媒体貸出処理機は、前記管理装置から送信された信号が解錠許可か解錠不許可かを区別して表示する表示手段を有することを特徴とする請求項１〜６のいずれか一つに記載の遊技媒体貸出システム。
【発明の詳細な説明】
【技術分野】
【０００１】
この発明は、貨幣の受け入れにより、遊技機に対して遊技媒体の貸し出しをおこなう遊技媒体貸出システムに関し、特に、投入された貨幣を収納している貨幣処理部のロックを解錠する際の解錠の判定を管理装置で管理することにより、解錠対象となる貨幣処理部の解錠を確実におこなうことができる遊技媒体貸出システムに関する。
【背景技術】
【０００２】
現在、パチンコ機やパチスロ機などの遊技機を設置した遊技店で遊技をおこなう場合には、カード発行機などから、一旦プリペイドカードなどの磁気カード（記録媒体）を購入し、このプリペイドカードに関連付けられた有価価値に応じてパチンコ玉やメダルなどの遊技媒体を借り受ける遊技媒体貸出システム（カードシステム）が一般的に採用されている。
【０００３】
この従来の遊技媒体貸出システムでは、遊技機に隣接した位置にプリペイドカードを挿入するカード処理ユニットが並設され、このカード処理ユニットおよびカード発行機はターミナルコントローラ（ＴＣ）などの管理装置に接続されている。そして、カード発行機によるカードの売上情報とカード処理ユニットによるカードの利用情報を収集することにより遊技店の総売上金額を管理するシステムが構築されている。
【０００４】
また、従来より、上述したプリペイドカードなどのカード媒体を使用する遊技媒体貸出システムの他、紙幣の投入によって遊技機に対して遊技媒体を貸出す遊技媒体貸出システムも知られている。ここで、このような紙幣の投入により遊技媒体の貸し出しをおこなう貸出処理機には、遊技客により投入された紙幣を収納する貨幣処理部が装着されており、この貨幣処理部は、遊技店の閉店時などには、解錠により、貸出処理機本体から取り出され、紙幣の回収がおこなわれるものとなる。ところが、従来では、貨幣処理部は、鍵による施錠がおこなわれていたため、紙幣の回収時に各貸出処理機の鍵を解錠する必要があるため、紙幣の回収作業に手間（時間）がかかり作業効率の面で問題があった。
【０００５】
そこで、上述した問題を解決すべく、従来技術として、管理装置の入力装置（キーボード）による操作（入力）により、解錠対象となる貸出処理機に対して、解錠信号を送信するとともに、紙幣またはカードを収納している貨幣処理部を突出させる解錠操作をおこない紙幣を回収する技術が開示されている（例えば、特許文献１参照）。
【０００６】
【特許文献１】特開２００３−１９０６１１号公報
【発明の開示】
【発明が解決しようとする課題】
【０００７】
ところが、上述した従来の貸出処理機における貨幣処理部の解錠方法の場合には、以下のような問題点がある。すなわち、前述した従来公報に記載された技術によると、管理装置の入力装置（キーボード）による操作（設定）によって解錠対象とする貨幣処理部の台番号を、その都度、指定（入力）する必要がある。このため、予め、管理装置を操作する管理者は、解錠対象となる貸出処理機の台番号を把握しておく必要があることから管理の面で問題がある。
【０００８】
また、実際の運用では、遊技ホール内の係員からインカムなどにより、解錠対象となる貸出処理機の台番号を管理者に知らせ、管理者は通知された貸出処理機の台番号に基づいて、解錠の判定をおこなっている。このため、遊技ホール内の係員が間違って解錠対象でない貸出処理機の台番号を管理者に知らせた場合でも、管理者はこの間違いに気づかないため、誤解錠が発生する原因となり、この場合、解錠を希望する貸出処理機の台番号を再度、管理者に対して知らせる必要があるため手間がかかるという問題がある。
【０００９】
さらに、誤解錠により、解錠対象としていない貨幣処理部の解錠がおこなわれた場合、この貨幣処理部が悪意のある第三者に盗まれる恐れがあるためセキュリティの面で問題がある。
【００１０】
そこで、この発明は、上述した従来技術による問題点を解決するためになされたものであり、貸出処理機から送信される解錠許可要求通知に基づいて、解錠対象となる貸出処理機を管理装置で特定するとともに、この管理装置で解錠許可の判定を正確におこなうことにより、紙幣処理部の解錠作業を容易且つ、確実におこなうことができる遊技媒体貸出システムを目的とする。
【課題を解決するための手段】
【００１１】
上述した課題を解決し、目的を達成するために、請求項１に記載の発明は、複数の遊技機にそれぞれ１対１に併設されるとともに、貨幣の受け入れにより、当該遊技機に対して遊技媒体の貸し出しをおこなう遊技媒体貸出処理機と、当該遊技媒体貸出処理機に対する入金情報の管理をおこなう管理装置とを備えた遊技媒体貸出システムにおいて、前記遊技媒体貸出処理機は、前記貨幣を内部に収納し、前記貨幣を取出し可能位置と不可能位置に変移可能な貨幣処理部と、前記貨幣処理部を、前記貨幣取出し不可能位置で施錠するロック機構部と、外部からの前記ロック機構部の解錠要求を受取る解錠要求受取部と、前記管理装置からの解錠許可／不許可信号に従い、前記ロック機構部による施錠／解錠の制御をおこなう解錠制御手段と、前記管理装置に対して、解錠要求信号を送信或は解錠許可／不許可信号の受信をおこなう通信Ｉ／Ｆ部とを備え、前記管理装置は、前記遊技媒体貸出処理機からの前記解錠要求信号の受信或いは前記解錠許可／不許可信号の送信をおこなう通信Ｉ／Ｆ部と、前記遊技媒体貸出処理機からの前記解錠要求信号をどの遊技媒体貸出処理機から受けたかを表示する表示部と、前記解錠要求信号を送信してきた前記遊技媒体貸出処理機の前記貨幣処理部の前記ロック機構を解錠するか否かを入力する解錠許可／不許可入力操作部と、を備えることを特徴とする。
【００１２】
また、請求項２に記載の発明は、請求項１に記載の発明において、前記管理装置は、予め設定された解錠許可条件或いは、解錠不許可条件に従って、前記解錠要求信号を受信すると自動的に判定をおこない、その結果を前記遊技媒体貸出処理機へ送信することを特徴とする。
【００１３】
また、請求項３に記載の発明は、請求項１または２に記載の発明において、前記遊技媒体貸出処理機は、前記管理装置から前記解錠許可信号を受信すると、自動的に前記ロック機構部を解錠することを特徴とする。
【００１４】
また、請求項４に記載の発明は、請求項１または２に記載の発明において、前記遊技媒体貸出処理機は、前記管理装置から前記解錠許可信号を受信すると、解錠動作指示待ちになり、前記解錠動作指示待ち状態において、再度、解錠要求を受け取ると、前記ロック機構部を解錠することを特徴とする。
【００１５】
また、請求項５に記載の発明は、請求項１〜４のいずれか一つに記載の発明において、前記遊技媒体貸出処理機は、前記貨幣処理部内の貨幣の収納状態を検知する貨幣収納状態検知手段を有し、前記管理装置へ前記解錠要求信号を送信する際に、前記貨幣処理部内の貨幣収納状態も併せて送信をおこない、前記管理装置は、前記表示部で前記貨幣処理部の貨幣収納状態も表示することを特徴とする。
【００１６】
また、請求項６に記載の発明は、請求項１〜５のいずれか一つに記載の発明において、前記解錠要求受取部への解錠要求は、前記遊技媒体貸出処理機に対して所定の信号を送信する無線式の遠隔操作装置によっておこなわれることを特徴とする。
【００１７】
また、請求項７に記載の発明は、請求項１〜６のいずれか一つに記載の発明において、前記遊技媒体貸出処理機は、前記管理装置から送信された信号が解錠許可か解錠不許可かを区別して表示する表示手段を有することを特徴とする。
【発明の効果】
【００１８】
また、本発明によれば、遊技媒体貸出処理機は、貨幣を内部に収納し、貨幣を取出し可能位置と不可能位置に変移可能な貨幣処理部と、貨幣処理部を、貨幣取出し不可能位置で施錠するロック機構部と、外部からの前記ロック機構部の解錠要求を受取る解錠要求受取部と、管理装置からの解錠許可／不許可信号に従い、ロック機構部による施錠／解錠の制御をおこなう解錠制御手段と、管理装置に対して、解錠要求信号を送信或は解錠許可／不許可信号の受信をおこなう通信Ｉ／Ｆ部とを備え、管理装置は、遊技媒体貸出処理機からの解錠要求信号の受信或いは解錠許可／不許可信号の送信をおこなう通信Ｉ／Ｆ部と、遊技媒体貸出処理機からの解錠要求信号をどの遊技媒体貸出処理機から受けたかを表示する表示部と、解錠要求信号を送信してきた遊技媒体貸出処理機の貨幣処理部の前記ロック機構を解錠するか否かを入力する解錠許可／不許可入力操作部とを備えたので、管理装置により指示された貨幣処理部のみを解錠するので、正確に解錠対象となる貨幣処理部のみの解錠を確実におこなうことができるうえ、施錠する作業も簡略化できるため、閉店時における紙幣の回収作業を効率良くおこなえるという効果を奏する。さらに、解錠対象でない貨幣処理部の誤解錠を確実に防止できるため、セキュリティ性の向上も期待することができるという効果を奏する。
【００１９】
本発明によれば、遊技媒体貸出処理機は、管理装置から前記解錠許可信号を受信すると、自動的に前記ロック機構部を解錠するので、解錠要求操作手段から送信される貸出処理機の特定情報に基づいて、解錠対象となる貸出処理機を確実に特定できるため、ホール内に設置された貸出処理機の識別ＩＤ（台番号）を把握する必要がなく、解錠の判断を正確且つ確実におこなえるという効果を奏する。また、貸出処理機から送信される解錠許可要求通知に応じて、解錠の判断を正確且つ確実におこなうことができるという効果を奏する。
【００２０】
また、貨幣処理部の状態を正確に取得できるため、解錠の判断を正確且つ確実におこなえるという効果を奏する。
【００２１】
また、紙幣処理部内に収納された紙幣のセキュリティを完全に確保しつつ、紙幣の回収作業を効率良くおこなうことが可能な遊技媒体貸出システムが得られるという効果を奏する。貨幣処理部内の紙幣の収納状態に応じて、的確な解錠の指示をおこなうことができるうえ、解錠の判断を正確且つ確実におこなえるという効果を奏する。
【００２２】
また、本発明によれば、遊技媒体貸出処理機は、管理装置から解錠許可信号を受信すると、解錠動作指示待ち状態になり、解錠動作指示待ち状態において、再度、解錠要求を受取ると、前記ロック機構部を解錠するので、解錠要求操作手段から通知される貸出処理機の特定情報に基づいて、解錠対象となる貸出処理機を確実に特定できるため、ホール内に設置された貸出処理機の台番号を全て把握する必要がなく、解錠の判断を正確且つ確実におこなえるという効果を奏する。
【００２３】
また、本発明によれば、遊技媒体貸出処理機は、貨幣処理部内の貨幣の収納状態を検知する貨幣収納状態検知手段を有し、管理装置へ解錠要求信号を送信する際に、貨幣処理部内の貨幣収納状態も併せて送信をおこない、管理装置は、表示部で貨幣処理部の貨幣収納状態も表示するので、この管理装置に表示される表示部（モニタ）の表示によって、解錠対象となる貸出処理機の識別ＩＤ（台番号）を確実に確認できるため、ホール内に設置された貸出処理機の台番号を全て把握する必要がなく、解錠の判断を正確且つ確実におこなえるという効果を奏する。また、表示手段に表示される貨幣処理部内の紙幣の収納状態に応じて、的確な解錠の指示をおこなうことができるうえ、解錠の判断を正確且つ確実におこなえるという効果を奏する。
【００２４】
また、本発明によれば、解錠要求受取部への解錠要求は、遊技媒体貸出処理機に対して所定の信号を送信する無線式の遠隔操作装置によっておこなわれるので、この遠隔操作装置により解錠対象となる貨幣処理部を備える貸出処理機に対する解錠を容易且つ確実におこなえるという効果を奏する。
【００２５】
また、本発明によれば、貸出処理機は、管理装置から送信された信号が解錠許可か解錠不許可かを区別して表示する表示手段を有するので、この表示ランプの表示種別により、管理装置から送信される解錠許可判定通知が解錠許可通知或いは、解錠不許可通知であるかを、目視により容易且つ確実に判断することができるという効果を奏する。
【発明を実施するための最良の形態】
【００２６】
以下に添付図面を参照して、本発明に係る遊技媒体貸出システムを、パチンコ遊技に対して適用する場合の好適な実施例を詳細に説明する。なお、以下では、本実施例で用いる主要な用語を最初に説明してから、本実施例に係る遊技媒体貸出システムの概要および特徴を説明し、これに続いて、この遊技媒体貸出システムの構成を説明し、次いで、この遊技媒体貸出システムにおける貨幣処理部（ＢＶユニット部）を対象とする解錠処理手順を説明する。
【実施例１】
【００２７】
ここで、本実施例で用いる主要な用語を簡単に説明する。本実施例で用いる「管理者」とは、管理サーバ２００（管理装置）によりＢＶユニット部５０（請求項では、貨幣処理部として記載）に対する「解錠許可通知」或は「解錠不許可通知」を通知する権限を有する遊技店のオーナーや管理責任者（店長）などを示している。
【００２８】
また、「係員」とは、リモコン９０（図８）などの遠隔操作装置によって、管理サーバ２００に対して、解錠を希望する玉貸出処理機２０による「解錠許可要求通知」および管理サーバ２００から「解錠許可通知」が送信された場合に、玉貸出処理機２０に対して「解錠指示信号」を送信する権限を有する遊技店の幹部店員などのホールスタッフを指す。なお、本実施例では、玉貸出処理機２０に対する「解錠要求信号」の送信により、ＢＶユニット部５０の解錠がおこなわれる。また、上記の「管理者」は、「係員」の権限を兼務することができることとする。
【００２９】
（遊技媒体貸出システムの概要および特徴）
まず最初に、本実施例に係る遊技媒体貸出システムの概要および特徴を説明する。図１は、本実施例に係る遊技媒体貸出システムの概要を示す説明図である。図２は、本実施例に係る遊技媒体貸出システムの概略構成を示す機能ブロック図である。図３は、管理サーバ２００の構成を示す機能ブロック図をそれぞれ示している。
【００３０】
すなわち、図１、２に示すように、この遊技媒体貸出システムでは、遊技店内のそれぞれ「島」と呼ばれるグループごとに複数の遊技機（以下、『パチンコ機』と称する）が併設されるとともに、これらパチンコ機１０にはそれぞれ１台ずつペアとなるように遊技媒体貸出処理機（以下、『玉貸出処理機』と称する）がパチンコ機１０の相互間に挟まれるように据置されている。また、同図に示すように、島内に据置された複数の玉貸出処理機２０は、1台の島コントローラ３００に接続され、複数の島コントローラ３００は、1台の中継機３５０に接続されている。
【００３１】
これにより、遊技客により各玉貸出処理機２０に挿入された紙幣（現金）による入金情報は売上情報として、島コントローラ３００、中継器３５０を介して接続された管理サーバ２００に対して送信され、この管理サーバ２００により各玉貸出処理機２０の売上情報（金額）を個別に管理する構成となっている。
【００３２】
管理サーバ２００は、ターミナルコントローラ（Ｔ／Ｃ）として機能する装置であって、実際には第三者機関であるカード会社（図示せず）に接続されており、この管理サーバ２００により集計された各玉貸出処理機２０の売上情報は、カード会社に送信されるとともに、このカード会社の中央管理コンピュータによって管理される。
【００３３】
また、この管理サーバ２００は、カード管理、システム管理、各種データの集計、売上げ管理など、遊技媒体貸出システム全体の管理をおこなう機能を備えている。また、本発明では、特に、係員によるリモコン９０による操作にともない玉貸出処理機２０から送信される「解錠許可要求通知」に応じて、解錠許可／解錠不許可を判定するとともに、玉貸出処理機２０に対して、解錠許可通知或いは、解錠不許可通知のいずれかを送信する機能を備えている。
【００３４】
玉貸出処理機２０は、概略的に、遊技客により投入された紙幣（例えば、１０００円札の現金）或いは、プリペイドカードなどのカード媒体を受け入れて、遊技媒体（パチンコ玉）をパチンコ機１０に対して投出する機能を備えている。この玉貸出処理機２０の詳細については、後述する。
【００３５】
中継器３５０（ＨＵＢ）は、複数の島コントローラ３００毎に1台接続されており（通常、遊技店内に1台）、各「島」内のネットワークケーブルを束ねる集線装置（コンセントレータ）としての機能を備えている。本実施例では、それぞれの中継器３５０は、シリアル接続（ディジーチェーン）により構成されている。
【００３６】
ここで、本発明において、玉貸出処理機２０は、管理サーバ２００に対して、ＢＶロック機構部５４（図５）により施錠されたＢＶユニット部５０の解錠許可を要求する旨（「解錠許可要求通知」）を送信し、管理サーバ２００は、玉貸出処理機２０から送信された「解錠許可要求通知」に応じて、解錠許可／解錠不許可の判定により、解錠許可通知／解錠不許可通知の何れかを玉貸出処理機２０に送信し、一方、玉貸出処理機２０は、管理サーバ２００から解錠許可通知が送信され、且つ、係員が所持するリモコン９０により解錠を指示する旨（「解錠指示通知」）が送信された場合に、ＢＶユニット部５０の解錠をおこなう解錠制御処理に主たる特徴がある。
【００３７】
この本実施例に係る遊技媒体貸出システムの主たる特徴を具体的に説明すると、かかる遊技媒体貸出システムにおいて、玉貸出処理機２０のＢＶユニット部５０に対する解錠は、遊技ホール内の係員がＢＶユニット部５０の解錠を希望する玉貸出処理機２０に向けてリモコン９０に備えた、「個別解錠ボタン９５（図８）」の操作（ＯＮ）により、管理サーバ２００に対して、「解錠許可要求通知」を送信する。
【００３８】
一方、管理サーバ２００は、玉貸出処理機２０から送信された「解錠許可要求通知」を受信すると、玉貸出処理機２０から送信された識別ＩＤに基づいて、解錠許可通知／解錠不許可通知の何れかを玉貸出処理機２０に送信するようにしている。
【００３９】
そして、係員は、管理サーバ２００から「解錠許可通知」が送信された玉貸出処理機２０に対してリモコン９０により「解錠指示通知」を送信することにより実際の解錠をおこなうようにしている。すなわち、これによって、管理サーバ２００によりＢＶユニット部５０の解錠を操作する管理者は、解錠対象となるＢＶユニット部５０を備えた玉貸出処理機２０の台番号などの管理を不要とすることができる。
【００４０】
また、本実施例に係る遊技媒体貸出システムは、上記の主たる特徴に関連して以下のような特徴も付加的に有するものである。つまり、本実施例では、係員から管理サーバ２００に対して、玉貸出処理機２０の解錠許可を要求する旨の通知（解錠許可要求通知）を送信するに際して、この「解錠許可要求通知」には、解錠対象となる玉貸出処理機２０を特定する識別ＩＤとともに、ＢＶユニット部５０内の紙幣の収納状態も同時に送信するようにしている。この紙幣収納状態とは、回収時間による解錠を示す「正常」、異常状態を示す「紙幣が満杯となった状態」「紙幣詰まり」「解錠対象となる要素がない異常解錠通知」を示している。
【００４１】
具体的に説明すると、玉貸出処理機２０から管理サーバ２００に送信される「解錠許可要求通知」には、玉貸出処理機２０を特定する識別ＩＤおよびＢＶユニット部５０に収納された紙幣の収納状態（正常、異常状態を示す収納枚数満杯状態、紙幣詰まりなどの特定情報）も含めて、同時に送信される。
【００４２】
一方、管理サーバ２００は、玉貸出処理機２０から送信された「解錠許可要求通知」を受信すると、玉貸出処理機２０から送信された識別ＩＤおよび紙幣の収納状態に応じて、解錠許可通知／解錠不許可通知の何れかを玉貸出処理機２０に送信するようにしている。
【００４３】
以上のように、本発明の遊技媒体貸出システムによれば、管理サーバ２００の管理者は玉貸出処理機２０のＢＶユニット部５０の状態を把握することにより、ＢＶユニット部５０に対する解錠許可通知或は、解錠不許可通知を選択し、正確な解錠指示をおこなうことができる。すなわち、これによって、ＢＶユニット部５０に収納された紙幣のセキュリティをより高い水準で確保しつつ、紙幣の回収作業を効率良くおこなうことができるようにしている。
【００４４】
また、管理者（管理サーバ２００）からＢＶユニット部５０に対する「解錠許可通知」が送信された場合でも、玉貸出処理機２０のＢＶユニット部５０は、施錠状態（ロック）となっており、係員によるリモコン９０の操作による「解錠指示通知」によって、実際の解錠を実行できるようにしている。すなわち、これによって、、ＢＶユニット部５０に収納された紙幣のセキュリティを完全に確保しつつ、且つ、紙幣の回収作業を効率良くおこなうことができるようにしている。
【００４５】
また、管理者は、解錠対象となるＢＶユニット部５０を備えた玉貸出処理機２０の台番号を把握（管理）していなくても、解錠対象となる玉貸出機２０の特定情報を、この玉貸出処理機２０から取得することができる。すなわち、解錠対象となるＢＶユニット部５０を装着した玉貸出処理機２０の特定情報（台番号）は、従来のような係員によるインカムなどによる通知ではなく、玉貸出処理機２０のメモリ５５内（図５）に格納された機体番号（識別ＩＤ）が送信されるため、解錠対象となる玉貸出処理機２０の特定情報を間違えることなく正確に取得することができる。
【００４６】
また、本実施例では、玉貸出処理機２０のＢＶユニット部５０の状態を、ＢＶユニット部５０の紙幣収納状態などから自動的に判定するとともに、この判定により自動的に解錠許可通知／解錠不許可通知を玉貸出処理機２０に対して、送信するようにしている。すなわち、これによって、管理サーバ２００による複雑な入力操作を必要とすることなく、管理者が不在であっても、解錠対象とするＢＶユニット部５０の解錠を確実におこなうようにしている。
【００４７】
（管理サーバ２００の構成および機能の詳細）
次に、図３を参照して、管理サーバ２００の構成および機能の詳細を説明する。管理サーバ２００は、概略的に、遊技媒体貸出システムを構成する各機器の制御をおこなうものであり、各玉貸出処理機２０に投入された紙幣による入金情報を個別の売上情報として取得する機能を備えている。具体的には、各玉貸出処理機２０の識別ＩＤに基づいて、個々の玉貸出処理機２０ごとに投入された紙幣による入金情報を売上情報として集計し、管理する機能を備えている。
【００４８】
さらに、本発明に密接する機能として、リモコン９０（遠隔操作装置）による解錠指示通知に基づいて、玉貸出処理機２０から送信された「解錠許可要求通知」を受信した際に、この「解錠許可要求通知」とともに送信される識別ＩＤおよび紙幣収納状態情報に基づいて、ＢＶユニット部５０の解錠をおこなうか否かの判定を解錠許可／解錠不許可判定部２９５により判定し、この判定結果を、玉貸出処理機２０に対して、解錠許可通知或いは解錠不許可通知として送信する機能を備えている。
【００４９】
すなわち、図３に示すように、この管理サーバ２００は、管理サーバデータベース２１０と、玉貸出処理機２０と相互に通信をおこなうための通信Ｉ／Ｆ部２２０と、メニュー画面や売上情報を表示する表示部２３０（モニタ）と、表示制御部２３５と、各種指示入力を受け付ける入力部２６０と、出力部２７０と、管理サーバ２００の全体制御用の制御部２９０と、解錠許可／解錠不許可判定部２９５とを備えている。
【００５０】
管理サーバデータベース２１０は、玉貸出処理機２０の識別ＩＤに関連付けた入金情報を各玉貸出処理機２０別の特定情報として記憶するデータベースである。すなわち、図９に示すように、管理サーバデータベース２１０は、各遊技店を個別に識別する遊技店コード（Ａ００１）、取引時（遊技客による紙幣投入時）の日付を示す取引日付、玉貸出処理機本体を特定する本体識別ＩＤ（××××１）、遊技台（パチンコ機１０）の台番号、売上金額、取引時に設定される取引識別ＩＤという６項目のフィールドが設けられている。
【００５１】
そして、この管理サーバデータベース２１０の各フィールドのうち売上金額は、玉貸出処理機２０から通知される識別ＩＤに関連付けられた売上情報に基づいて、照合がおこなわれるとともに、更新処理により更新された売上情報（金額）がリアルタイム通信によりカード会社に送信され、このカード会社の中央管理コンピュータにより統括的に管理される。
【００５２】
図３に戻り、通信Ｉ／Ｆ部２２０は、ＢＶロック機構部５４（図５）により施錠されたＢＶユニット部５０の解錠を許可する旨（解錠許可信号）を玉貸出処理機２０の通信Ｉ／Ｆ２８（図５）を介して玉貸出処理機２０に通知する機能および玉貸出処理機２０による売上情報を通信により受信する機能を備えている。
【００５３】
表示部２３０は、管理サーバ２００の操作をおこなう「管理者」に対して、管理サーバデータベース２１０内（図９）の情報や操作ガイダンスや各種管理項目を設定するメニュー設定画面２４０（図１０）、玉貸出処理機２０から送信される解錠許可要求通知に応じて、解錠の指示設定をおこなう解錠指示設定画面２５０（図１１）を、表示画面として出力する出力手段である。
【００５４】
また、玉貸出処理機２０から送信された「解錠許可要求通知」の受信時に、主に、表示部２３０上に、ＢＶユニット部５０の紙幣収納部５１内に収納された紙幣の収納状態を表示する機能を備えている。この表示部２３０は、ＣＲＴや液晶ディスプレイなどのモニタにより構成される。なお、この表示部２３０（モニタ）は、タッチパネルとして後述する入力部２６０の機能をも実現するようにしてもよい。表示制御部２３５は、表示部２３０による表示を制御する表示制御機能を備えている。
【００５５】
入力部２６０は、各種の情報を入力するキーボード、マウス及びトラックボールなどの操作入力手段（入力用デバイス）であり、主に、遊技店の経営者などの経営に携わる者（管理者）からの操作により操作をおこなう手段として使用される。特に、本実施例では、解錠対象とする玉貸出処理機２０に対して、ＢＶユニット部５０内に収納された紙幣の収納状態を確認し、解錠指示設定画面２５０（図１１）により解錠許可通知／解錠不許可通知を設定する時や、この解錠指示設定画面２５０をマウスにより指定して、後述する出力部２７０によりプリントする際に使用する。また、表示部２３０に表示された解錠指示設定画面２５０により解錠許可通知／解錠不許可通知を設定する機能を備えている。
【００５６】
出力部２７０はプリンタなどの印刷手段であり、本例では、表示部２３０（モニタ）に表示される解錠指示設定画面２５０の内容を一覧として、印字（プリント）する機能を備えている。
【００５７】
制御部２９０は、ＯＳ（Operating System）などの制御プログラム、各種の処理手順などを規定したプログラムおよび所要データを格納するための内部メモリを有し、これらによって種々の処理を実行する処理部であり、特に本発明に密接に関連するものとしては、機能概念的に、解錠許可／解錠不許可判定部２９５を備える。
【００５８】
解錠許可／解錠不許可判定部２９５は、玉貸出処理機２０から送信される「解錠許可要求通知」を受信した場合、ＢＶユニット部５０の状態などに基づいて、要求が送信された玉貸出処理機２０に対して、解錠を許可する旨の通知（解錠許可通知）或いは、解錠を不許可とする旨の通知（解錠不許可通知）を判定する機能を備えている。
【００５９】
また、この解錠許可／解錠不許可判定部２９５は、管理者の判断によらず自動的に解錠許可通知／解錠不許可通知を判定する機能を備えている（自動解錠許可通知／自動解錠不許可通知処理）。具体的には、紙幣収納状態判定部５３（図５）により判定された紙幣の収納状態に基づいて、自動的に解錠許可通知／解錠不許可通知を判定することができる。この場合には、例えば、管理者が不在であっても、正確に例えば、管理者が不在であっても、正確に解錠許可通知／解錠不許可通知を玉貸出処理機２０に対して指示することができる。
【００６０】
（玉貸出処理機２０とパチンコ機１０の構成）
以下、図４〜８を参照して玉貸出処理機２０およびパチンコ機１０の構成の詳細について説明する。図４は、図２に示した遊技媒体貸出システムで適用する玉貸出処理機２０およびパチンコ機１０の外観正面図であり、図５は、玉貸出処理機２０の概要構成を示す機能ブロック図を示している。図６は、リモコンによるＢＶユニット部５０の解錠動作を説明する玉貸出処理機２０の側面図である。また、図７は、ＢＶユニット部５０が解錠により突出した状態を示す斜見図である。
【００６１】
すなわち、図４に示すように、玉貸出処理機２０は、外見上縦長に構成したもので、玉貸出処理機本体部２１と、この本体部２１よりも前方（図６の右側）に向けて僅かに突出するように形成されたＢＶユニット部５０とを備えている。また、後述するように、このＢＶユニット部５０は、リモコン９０による「解錠指示操作」により本体部２１から自動的に取り出し可能に構成されている（図５、６参照）。
【００６２】
また、図４に示すように、玉貸出処理機２０の本体部２１の前面パネルには、上から表示ランプ部２２と、表示部２３と、リモコン用受光部２４と、金額表示部２５と、カード挿入／返却口２６とを備えている。
【００６３】
表示ランプ部２２は、管理サーバ２００から解錠許可信号或いは、解錠不許可信号のいずれかが送信された場合に、これら解錠許可信号或いは、解錠不許可信号を色別のランプにより選択的に表示する機能を備えている（例えば、解錠許可通知が送信された場合、緑色のランプ表示）解錠不許可通知が送信された場合、赤色のランプ表示）。これによって、表示ランプ部２２に表示される表示ランプの色別により目視により、解錠可能な玉貸出処理機２０を容易に確認することができるため、紙幣の収納作業を効率的におこなうことができる。
【００６４】
金額表示部２５は、金額の設定に応じた金額を表示するものである。この金額表示部２５の表示内容は、実際には度数単位でおこなわれる。
【００６５】
リモコン用受光部２４は、リモコン９０により送信された送信信号に基づいて、玉貸出処理機２０のエラー状態をリセットするエラーリセット信号、解錠指示信号を受信する機能を具備している。
【００６６】
なお、後述するように、玉貸出処理機２０は、管理サーバ２００より「解錠許可通知信号」を受信した後、リモコン９０により、再度「解錠指示信号」を受信した場合には、ＢＶユニット部５０のロック（施錠）が解錠されるものとなる。また、電源部３３は、玉貸出処理機２０に対して、ＡＣ電源（１００Ｖ）による電圧を供給するための電源部である。
【００６７】
カード挿入／返却口２６は、カード（プリペイドカード）を受け入れて、取り込んだプリペイドカードをカード処理部２７において所望の処理を施した後、再度、このカードを返却するための開口である。
【００６８】
図５に示す制御部２９は、ＯＳ（Operating System）などの制御プログラム、各種の処理手順などを規定したプログラムおよび所要データを格納するための内部メモリを有し、これらによって種々の処理を実行する処理部であり、パチンコ機１０に対する玉投出機能を具備する玉貸制御部７０を備えている。通信Ｉ／Ｆ２８は、島コントローラ３００、中継器３５０を介して管理サーバ２００と通信により、データの送受信をおこなう機能を備えている。
【００６９】
（ＢＶユニット部５０の内部構成および機能の詳細）
図５に示すように、ＢＶユニット部５０は、紙幣挿入／返却口１５と、紙幣収納部５１と、紙幣識別部５２と、解錠通知判定部５７を有するＢＶユニット制御部５６とを具備する。紙幣挿入／返却口１５は、紙幣（例えば、１０００円札）を受け入れて、該紙幣を紙幣収納部５１に取り込むための開口である。紙幣収納部５１は、遊技客により紙幣挿入／返却口１５から挿入された紙幣を整列させて、収納する機能を備えている（図６参照）。
【００７０】
なお、本実施例では、「係員」により紙幣収納部５１内に収納された紙幣を直接、回収することができるため、紙幣を島端へ搬送する紙幣搬送路および島端において紙幣を回収する紙幣回収ボックスが不要となる。
【００７１】
紙幣識別部５２は、遊技客により紙幣挿入／返却口１５から挿入された紙幣に対する金額情報の判定（識別）および金額情報を記憶する紙幣処理機能を備えており、遊技客により挿入された紙幣を受け入れて識別し、正常と判定される紙幣については、その識別結果および金額情報はＢＶユニット制御部５６に通知される。
【００７２】
ＢＶユニット制御部５６は、玉貸出処理機２０の識別ＩＤに関連付けて売上情報をメモリ５５内に格納する機能を備えている。一方、挿入された紙幣が識別不能な紙幣については、紙幣挿入／返却口１５を通じて返却する。メモリ５５は記憶部として機能し、本実施例では、玉貸出処理機２０を特定する識別ＩＤ（機番）が記憶／格納されている。
【００７３】
すなわち、メモリ５５には、玉貸出処理機２０の識別ＩＤである台番号（機体番号）が記憶／格納される、このメモリ５５記憶された台番号は、リモコン９０による解錠指示通知の送信時に、解錠許可要求信号の通知とともに、管理サーバ２００に対して送信される。
【００７４】
また、ＢＶユニット制御部５６は、管理サーバ２００より解錠を許可する旨を通知された後に、リモコン９０により解錠を指示する旨を通知された場合、ＢＶユニット部５０の解錠をおこなうように制御する処理部としての機能を備えている。
【００７５】
具体的には、「管理者」から解錠を許可する旨（解錠許可信号）を管理サーバ２００より通知され、「ロック機構制御状況」が「通常状態」から「解錠許可状態」に移行された後に、係員が所持するリモコン９０による操作により解錠を指示する旨（解錠指示信号の送信）を通知された場合に、ＢＶロック機構部５４によるロック（施錠）を制御し、ＢＶユニット部５０の解錠をおこなうことができる。
【００７６】
紙幣収納状態判定部５３は、遊技客により紙幣挿入／返却口１５から挿入され、紙幣収納部５１内に収納された紙幣の収納状態を判定する機能を備えている。紙幣収納状態判定部５３により判定された紙幣の収納状態は、「解錠許可要求通知」の送信とともに、管理サーバ２００に送信される。
【００７７】
ＢＶロック機構部５４は、ＢＶユニット部５０の施錠をおこなう機構および管理サーバ２００を管理している「管理者」により、ＢＶユニット部５０の解錠を許可する旨（解錠許可通知）が管理サーバ２００から通知され、且つ、「係員」が所持するリモコン９０による操作により解錠を指示する旨（解錠指示通知）が送信された場合に、ロックを解錠する機能を備えている。このＢＶロック機構部５４によるロック（施錠）の解錠は、「係員」が所持するリモコン９０による解錠操作によりおこなわれる。
【００７８】
ここで、図６および図７を参照して、本実施例におけるＢＶユニット部５０に対する解錠機構についての概略を説明する。すなわち、図６に示すように、管理サーバ２００から解錠を許可されているＢＶユニット部５０に対して、「係員」が玉貸出処理機２０のリモコン用受信部２４に向けて、リモコン９０の個別解錠ボタン９５（図８）をＯＮ操作するとＢＶユニット部５０が玉貸出処理機２０の前方（図６、７の矢印Ａ方向）に突出するとともに、紙幣収納部５１が開口する機構（図示せず）となっている。これにより、紙幣収納部５１内に収納された紙幣を回収することができる。
【００７９】
一方、ＢＶユニット部５０の装着（施錠）は、前方に突出した状態のＢＶユニット部５０を手で本体部２１側（図７の矢印Ｂ方向）に向けて、押し込むことにより、ＢＶロック機構部５４を作動させることができる。
【００８０】
（パチンコ機１０の構成および機能）
次に、図４に示したパチンコ機１０の構成および機能について説明する。図４に示すように、パチンコ機１０は遊技領域および下方に設けた上皿１０ａとにより構成され、その内部には玉投出機構部１４が設けてある。
【００８１】
この玉投出機構部１４は、制御部２９（図５）の玉貸制御部７０から打球投出要求が与えられた場合、並びにパチンコ機１０による賞玉投出要求が与えられた場合に、それぞれパチンコ機１０の上皿１０ａに所定数のパチンコ玉を投出する部分である。
【００８２】
同図に示すように、このパチンコ１０の前面上部は遊技者がパチンコ遊技を行う遊技領域であり、このパチンコ機１０の内部には玉投出機構部１４が設けられ、また、前面下部には玉の貸出などを行うための各種操作スイッチ（度数表示部１１、貸出ボタン１２、返却ボタン１３）が設けられている。
【００８３】
度数表示部１１は、投入された紙幣の有価価値（残金）またはプリペイドカードの残度数を表示する機能を備えている。
【００８４】
貸出ボタン１２は、玉の貸し出しを受ける際に押下するボタンであり、この貸出ボタン１２の押下に応じて、玉貸出処理機２０からパチンコ機１０に対してパチンコ玉が投出されるともに、管理サーバ２００により管理されている残度数が減算される。
【００８５】
返却ボタン１３は、ＯＮ操作された場合に、玉貸出処理機２０に取り込まれたプリペイドカードを遊技者に返却させるためのボタンである。すなわち、返却ボタン１３がＯＮ操作された場合には、パチンコ玉の貸し出し処理が中断される。
【００８６】
玉投出機構部１４は、パチンコ玉の貸出用と、パチンコ機１０における入賞時の賞玉の払出し用との両方を兼用している。具体的には、従って、この玉投出機構部１４は、直接、あるいは、パチンコ機１０のコントローラを介して間接的に、玉貸出処理機２０によって制御される。なお、上述した度数表示部１１なども同様に玉貸出処理機２０からの指示に従ってその表示内容が更新され、上述した貸出ボタン１２などの操作状況は、パチンコ機１０から玉貸出処理機２０へと通知される。
【００８７】
（リモコンの概要および機能構成）
次に、図８を参照して、本発明の遊技媒体貸出システムにおいて適用されるリモコン（遠隔操作装置）の概要について説明する。図８は、遊技店の「係員」が所持するリモコン９０を示す外観図である。
【００８８】
リモコン９０は、無線式の遠隔操作装置であり、このリモコン９０の先端部には、「解錠指示要求信号」、「リセット信号」などの信号を送出するための信号発振部が設けられており、本発明においては、特に、玉貸出処理機２０のリモコン用受光部２４（図５）に赤外線信号を送信し、ＢＶロック機構部５４（図５）により施錠されているロックの解錠をおこなう機能を備えている。
【００８９】
すなわち、図８に示すように、リモコン９０構成する前面パネル部には、エラーの発生時に、リセット処理をおこなう「リセットキー９２」、操作の設定をおこなう「設定キー９３」、操作の取り消しをおこなう「取消キー９４」、「解錠指示通知」を設定する「個別解錠ボタン９５」、「送りキー９６」、「戻しキー９７」などの設定入力部９１および暗証番号を入力するため「テンキー（０〜９）」などのテンキー入力部９８が設けられている。
【００９０】
具体的に説明すると、本実施例では、解錠許可通知を設定する「個別解錠ボタン９５」を玉貸出処理機２０に向けて押下（ＯＮ）することにより、係員が希望する玉貸出処理機２０のＢＶユニット部５０に対する解錠をおこなうことができる。例えば、玉貸出処理機２０の識別ＩＤが「１２５番」であったとすると、係員がこの玉貸出処理機２０に向けて、リモコン９０の操作により個別解錠ボタン９５を押下（ＯＮ）すると、「解錠許可要求通知」が管理サーバ２００に送信される。以下、管理サーバ２００による解錠許可通知／解錠不許可通知に基づいて、解錠許可通知が送信された場合には、再度、リモコン９０による解錠指示通知によりＢＶユニット部５０の解錠が実行されることとなる。
【００９１】
（メニュー設定画面２４０の構成）
次に、図１０を参照して、メニュー設定画面２４０の詳細について説明する。ここで、図１０は、管理サーバ２００の電源ＯＮ時に、表示部２３０（モニタ）に表示されるメニュー設定画面２４０の一例を示している。同図に示すように、表示部２３０には、メニュー設定画面２４０として、複数の管理項目を選択する設定メニューが表示される。本例では、このメニュー設定画面２４０の中から所望の管理項目を選択することにより、表示部２３０上に任意の情報管理画面および登録設定画面を表示させることができる。
【００９２】
具体的に説明すると、例えば、メニュー設定画面２４０に表示されている「１．解錠指示設定画面」のアイコンをマウスにより指定（クリック）し、さらに、Enterキー２４１を押下（ＯＮ）することにより、図１１に示す解錠指示設定画面２５０の表示に移行することができる。そして、後述するように、この解錠指示設定画面２５０により解錠対象とする玉貸出処理機２０に対する解錠許可通知／解錠不許可通知の送信をおこなうことができる。
【００９３】
なお、本実施例では、上述したように、表示部２３０（モニタ）にメニュー設定画面２４０を表示するとともに、このメニュー設定画面２４０による設定（選択）により、解錠指示設定画面２５０を表示部２３０（モニタ）に表示するようにしているが、玉貸出処理機２０から解錠要求信号が送信された際、自動的に、この解錠指示設定画面２５０を表示部２３０（モニタ）に表示するようにしてもよい。
【００９４】
（解錠指示設定画面２５０の詳細）
次に、図１１を参照して、解錠指示設定画面２５０の詳細について説明する。ここで、図１１は、管理サーバ２００の表示部２３０（モニタ）に表示される表示画面の一例を示している。すなわち、表示部２３０（モニタ）に、解錠指示設定画面２５０を表示することにより、解錠を実際におこなう玉貸出処理機２０（ＢＶユニット部５０）を任意に設定することができる。
【００９５】
同図に示すように、この解錠指示設定画面２５０は、「日付け欄２５１」、玉貸出処理機２０から送信された解錠許可要求通知の送信時の「時間欄２５２」、紙幣の回収時間であるかの回収時間表示欄２５３、遊技機の種類（パチンコ／スロット）を表す「種別欄２５４」、機種の名称を表す「機種欄２５５」、遊技機を特定する「機番欄２５６」、玉貸出処理機２０からの送信内容を表す「送信内容欄２５７」、ＢＶユニット部５０の紙幣収納状態を表す「状態表示欄２５８」、解錠許可或いは、解錠不許可を設定するための「解錠許可／解錠不許可設定欄２５９」、この解錠指示設定画面２５０による設定の決定をおこなう「Enterキー２６０」とから構成されている。
【００９６】
また、「解錠許可／解錠不許可設定欄２５９」には、ＹＥＳボタンとＮＯボタンがあり、これらＹＥＳボタンとＮＯボタンのうちの一方のボタンを選択することができる。なお、この解錠許可／解錠不許可設定欄２５９は、手動により解錠許可或は解錠不許可を設定するために備えている。
【００９７】
ここで、「状態表示欄２５８」は、５種類（「正常」、「異常」、「スタッカ満杯」、「ジャム」、「その他」に種別化）の紙幣収納状態を示す項目（表示ランプ）により構成されており、玉貸出処理機２０から解錠要求通知が送信された際には、これら５種類の紙幣収納状態のうちのいずれかの表示が点灯することとなる。
【００９８】
このうち「正常」が点灯する場合、ＢＶユニット部５０に何ら異常がないことを示している。また、「異常」と「スタッカ満杯」が点灯する組み合わせでは、紙幣収納部５１内の紙幣が満杯状態であることを示し、「異常」と「ジャム」が点灯する組み合わせでは、紙幣収納部５１内で紙幣の紙詰まりが発生していることをそれぞれ示している。
【００９９】
また、「異常」と「その他」が点灯する組み合わせでは、「スタッカ満杯」と「ジャム」以外の何か別の異常が紙幣収納部５１に発生していることをそれぞれ示している。そして、この図１１に示す例では、玉貸出処理機２０（機体番号、１２５番）のＢＶユニット部５０の紙幣の収納状態が満杯であることを示している。
【０１００】
以上のように構成される解錠指示設定画面２５０において、玉貸出処理機２０から解錠許可要求通知を受けて、その玉貸出処理機２０の情報が予め設定された解錠許可条件を満たしているなら解錠許可／解錠不許可設定欄２５９の「ＹＥＳ」アイコン、解錠不許可条件を満たしているなら「ＮＯ」アイコンにより解錠の許可／不許可通知を送信する設定をおこなうことができる。
【０１０１】
具体的には、「ＹＥＳ」アイコン、「ＮＯ」アイコンのうち「ＹＥＳ」アイコンをマウスによりクリックし、Enterキー２６０を押下（ＯＮ）することで、解錠許可通知を玉貸出処理機２０に送信することができる。一方、「ＮＯ」アイコンをマウスによりクリックし、Enterキー２６０を押下（ＯＮ）することで、解錠不許可通知を玉貸出処理機２０に送信することができる。本例では、図１１に示すように、玉貸出処理機２０（１２５番）のスタッカが満杯状態であることから自動的に、この玉貸出処理機２０に対して、解錠許可通知が送信される。
【０１０２】
ここで、ＢＶユニット部５０の異常状態とは、紙幣満杯状態と紙詰りの発生を異常状態としており、この時には、解錠許可要求通知を送信した玉貸出処理機２０のＢＶユニット部５０は解錠許可と判定される。一方、ＢＶユニット部５０の正常状態とは、このＢＶユニット部５０の紙幣収納部５１内の紙幣満杯状態と紙詰りの発生がない状態を示しており、この正常状態においての解錠許可通知／解錠不許可通知の判定は、玉貸出処理機２０から解錠許可要求信号が送信された時間帯を判定することにより、ＢＶユニット部５０に対する解錠許可／解錠不許可の自動判定をおこなうようにしている。具体的に説明すると、送信時間帯が紙幣の回収時間帯である場合には、解錠許可となり、自動的に解錠許可通知が送信されるものとなる。
【０１０３】
ここで、遊技店内の係員から玉貸出処理機２０のＢＶユニット部５０に対する「解錠許可要求通知」がリモコン９０により送信される条件としては、主に（１）紙幣の回収作業をおこなう時（例えば、遊技店の閉店時間後）、（２）紙幣収納部５１（スタッカ）が満杯になった時（ホールの係員により満杯を予測した時）、（３）紙幣収納部５１内で紙幣詰まりなどの異常が発生した時などである。このため、これら各条件（１）〜（３）のいずれにも該当しない時に、玉貸出処理機２０から管理装置２００に対して、「解錠許可要求通知」が送信された場合、悪意のある第三者から「解錠許可要求通知」が送信されと想定することができる。
【０１０４】
このため、上記各条件（１）〜（３）に該当しない「解錠許可要求通知」が送信された場合、管理装置２００の管理者は、異常状態が発生したとし、この異常状態が発生した旨を、ホール内の係員にインカムなどで連絡するようにしている。これにより、管理装置２００の管理者から異常状態が発生した旨を知らされた係員により、該当する玉貸出処理機２０の状態を確認することができセキュリティの面で効果がある。
【０１０５】
なお、上述したように、本実施例１では、玉貸出処理機２０から送信された台番号および紙幣の収納状態に基づいて、対象となる玉貸出処理機２０に対する解錠許可／解錠不許可を自動で判定するようにしているが、自動化するのではなく、店長などのある特定された権限者のみが解錠指示設定画面２５０を見て、解錠許可／解錠不許可を判定操作できるようにした手入力作業としても良い。
【０１０６】
（遊技媒体貸出システムにおける基本制御手順）
次に、図１２を参照して、遊技媒体貸出システムにおける基本制御手順について説明する。図１２は、本実施例に係る遊技媒体貸出システムの基本制御手順を示すフローチャートを示している。すなわち、本発明の遊技媒体貸出システムは、大別して（１）解錠指示要求設定工程（ステップＳＡ１００）、（２）解錠許可要求送信工程（ステップＳＡ２００）、（３）解錠許可／解錠不許可判定工程（ステップＳＡ３００）、（４）解錠許可／解錠不許可通知工程（ステップＳＡ４００）、（５）解錠許可／解錠不許可報知工程（ステップＳＡ５００）（６）解錠指示実行工程（ステップＳＡ６００）の６つの処理工程により構成されている。まず、これら（１）〜（６）の各制御工程について簡単に説明する。
【０１０７】
（１）解錠指示要求設定工程（ステップＳＡ１００）
解錠指示要求設定工程は、遊技ホール内の係員が、解錠を目的とするＢＶユニット部５０を装着した玉貸出処理機２０に対して、リモコン９０により、解錠を指示する旨（解錠指示通知）を送信する処理工程である。
【０１０８】
（２）解錠許可要求送信工程（ステップＳＡ２００）
解錠許可要求送信工程は、管理サーバ２００に対して、解錠対象となる玉貸出処理機２０に関する解錠許可要求信号および紙幣の収納状態情報を送信する処理工程である。
【０１０９】
（３）解錠許可／解錠不許可判定工程（ステップＳＡ３００）
解錠許可／解錠不許可判定工程は、解錠許可要求信号が送信された玉貸出処理機２０の識別ＩＤ（台番号）および紙幣収納状態に基づいて、解錠許可或いは解錠不許可を判定する処理工程である。
【０１１０】
（４）解錠許可／解錠不許可通知工程（ステップＳＡ４００）
解錠許可／解錠不許可通知工程は、解錠許可／解錠不許可判定工程による解錠許可判定に基づいて、ＢＶユニット部５０の解錠を要求する玉貸出処理機２０に対して、解錠許可通知或いは、解錠不許可通知を送信する処理工程である。
【０１１１】
（５）解錠許可／解錠不許可報知工程（ステップＳＡ５００）
解錠許可／解錠不許可報知工程は、管理サーバ２００から送信された解錠許可通知或いは、解錠不許可通知に応じて、玉貸出処理機２０の表示ランプ２２（図４）に、所定の色表示を点灯させ、係員などに管理サーバ２００からの通知状態を報知する処理工程である。具体的には、係員は、この表示ランプ２２の点灯より解錠許可通知が送信されたか否かを確認することができる。
【０１１２】
（６）解錠指示実行工程（ステップＳＡ６００）
解錠指示実行工程は、管理サーバ２００から解錠許可通知が送信された玉貸出処理機２０に対して、リモコン９０操作によりＢＶユニット部５０の解錠を実行する処理工程である。実際には、玉貸出処理機２０に対してリモコン９０を向けて、個別解錠ボタン９５（図８）を押下（ＯＮ）することにより、解錠対象となるＢＶユニット部５０の解錠を実行することができる。
【０１１３】
（ＢＶユニット部５０の自動解錠許可／不許可処理手順）
次に、図１３のフローチャートを参照して、本実施例１におけるＢＶユニット部５０の解錠処理手順を説明する。ここで、図１３に示すフローチャートは、玉貸出処理機２０と管理サーバ２００との間で実行されるＢＶユニット部５０による自動解錠許可／不許可処理手順を示している。また、以下の図１３に示すフローチャートでは、機体番号（識別ＩＤ）が「１２５番」の玉貸出処理機２０に装着されたＢＶユニット部５０に対する解錠（ＢＶユニット部５０内の紙幣の回収）をおこなうことを想定して説明する。
【０１１４】
すなわち、図１３のフローチャートに示すように、玉貸出処理機２０は、待機状態（ホールの係員による解錠指示操作待ち）となっており（ステップＳ１００）、リモコン９０による解錠指示要求（解錠指示通知）の受信があるかの判定により、具体的には、係員が所有するリモコン９０の個別解錠ボタン９５（図８）が押下（ＯＮ）されたかの判定をおこない（ステップＳ１１０）、この個別解錠ボタン９５が押下（ＯＮ）されたと判定された場合には（ステップＳ１１０肯定）、玉貸出処理機２０を特定する機体番号（識別ＩＤ）を取得する（ステップＳ１２０）。
【０１１５】
次いで、ＢＶユニット部５０の紙幣収納部５１内に収納された紙幣の収納状態を順次取得する（ステップＳ１３０）。ここで、ステップＳ１２０による機体番号（識別ＩＤ）の取得は、メモリ５５（図５）に記憶された機体番号を読み出すことによりおこなう。また、ステップＳ１３０による紙幣の収納状態の取得は、紙幣収納状態判定部５３（図５）によりおこなわれ、この紙幣収納状態判定部５３により判定された判定結果（正常状態／異常状態）が紙幣の収納状態として取得される。
【０１１６】
前述したように、紙幣の収納状態を示す判定結果は、５種類（「正常」、「異常」、「スタッカ満杯」、「ジャム」、「その他」）の判定結果のうちのいずれかとなる。本例では、機体番号が「１２５」番であり、紙幣の収納状態が正常状態であるとして、以下、説明する。
【０１１７】
以下、この玉貸出処理機２０は、管理サーバ２００に対して「解錠許可要求通知」と、ステップＳ１２０により取得した玉貸出処理機２０の機体番号（識別ＩＤ）と、ステップＳ１３０により取得した紙幣の収納状態を送信する（ステップＳ１４０）。
【０１１８】
一方、管理サーバ２００は、玉貸出処理機２０から送信された解錠許可要求信号／機体番号（識別ＩＤ）／紙幣の収納状態情報を受信すると（ステップＳ１５０肯定）、次いで、この管理サーバ２００は、解錠要求がなされた玉貸出処理機２０（機体番号、１２５番）を対象として、自動的に解錠の判定をおこなう自動解錠許可／自動解錠不許可判定処理に移行する（ステップＳ１６０）。前述したように、この自動解錠許可／自動解錠不許可判定処理は、管理装置２００によって、自動的に解錠を許可或いは不許可とする判定処理である。
【０１１９】
すなわち、先ず、玉貸出処理機２０から送信された紙幣の収納状態により、この紙幣の収納状態に異常があるかを検出する（ステップＳ１７０）。このステップＳ１７０の判定で異常であると判定された場合、異常判定の要因も併せて検出される。つまり、前述したように、ＢＶユニット部５０内に収納されている紙幣が満杯（「スタッカ満杯」）、紙幣詰まり発生（「ジャム」）、その他などを検出し、表示することができる（図１１）。
【０１２０】
そして、ステップＳ１７０で異常と判定された場合には、管理装置２００は解錠許可と判断し、玉貸出処理機２０に対して、自動的に解錠許可通知が送信される（ステップＳ２００）。
【０１２１】
また、前述したように、ＢＶユニット部５０の正常状態とは、このＢＶユニット部５０の紙幣収納部５１内の紙幣満杯状態と紙幣詰まりの発生がない状態を示しており、この正常状態においての解錠許可通知／解錠不許可通知の自動判定は、玉貸出処理機２０から解錠許可要求信号が送信された時間を判定することにより、ＢＶユニット部５０に対する解錠許可／解錠不許可の自動判定をおこなうようにしている。
【０１２２】
すなわち、ステップＳ１７０の判定により、紙幣の収納状態に異常がないと判定された場合には（ステップＳ１７０否定）、次いで、紙幣玉貸出処理機２０からの送信時間帯が紙幣の回収時間帯であるかの判定をおこなう（ステップＳ１８０）。そして、このステップＳ１８０の判定により、時間帯が回収時間帯と判定された場合には（ステップＳ１８０肯定）、解錠許可となり、紙幣が満杯であり、紙幣詰まりがある状態と同様に、自動的に解錠対象となる玉貸出処理機２０（１２５番）に対して解錠許可通知が送信されるものとなる（ステップＳ２００）。
【０１２３】
一方、ステップＳ１８０の判定により、時間帯が回収時間帯でないと判定された場合には（ステップＳ１８０否定）、解錠不許可となり、解錠不許可通知が玉貸出処理機２０に対して送信される（ステップＳ１９０）。
【０１２４】
一方、玉貸出処理機２０は、前記ステップＳ１４０により、管理サーバ２００に解錠許可要求信号／識別ＩＤ／紙幣収納状態情報を送信した後、管理サーバ２００からの応答待ちとなっており（ステップＳ２２０）、管理サーバ２００から送信された解錠許可通知／解錠不許可通知を受信すると（ステップＳ２３０肯定）、以下、この管理サーバ２００から送信された信号の判定をおこなう。
【０１２５】
具体的には、管理サーバ２００から送信された「解錠判定通知」が解錠許可通知か解錠不許可通知であるかの判定をおこなう（ステップＳ２４０）。そして、このステップＳ２４０の判定により、解錠指示判定通知が解錠許可通知である場合には（ステップＳ２４０肯定）、表示ランプ２２（図４）を点灯させ（ステップＳ２５０）、係員のリモコン９０による実際の解錠指示通知待ちとなる（ステップＳ２６０）。
【０１２６】
また、ステップＳ２４０の判定により管理サーバ２００から「解錠判定通知」が解錠不許可通知であると判定された場合には（ステップＳ２４０否定）、表示ランプ２２を点灯させる（ステップＳ２５５）。ただし、この表示ランプ２２に点灯する色は解錠許可通知の受信時の色と異なる色にすることが好ましい（ステップＳ２６０による表示ランプ２２の色と異色）。例えば、解錠許可時は、緑色の表示ランプ２２を点灯することとし、解錠不許可時は、赤色の表示ランプ２２を点灯する。そして、一定時間経過後、この表示ランプ２２を消灯するようにする（ステップＳ２６５）。
【０１２７】
そして、ステップＳ２６０による解錠指示信号待ちの状態（表示ランプ２２が点灯）で、個別解錠ボタン９５（図８）の押下（ＯＮ）があると判定された場合には（ステップＳ２７０肯定）、ＢＶユニット部５０の解錠がおこなわれる（ステップＳ２８０）。
【０１２８】
具体的には、玉貸出処理機２０のリモコン用受光部２４（図８）に対して、リモコン９０から赤外線信号（「解錠指示信号」）が送信されるため、これにより、ＢＶロック機構部５４によるロック（施錠）が解錠される。これにより、ＢＶユニット部５０が前方に突出されることとなり、このＢＶユニット部５０の紙幣収納部５１内に収納された紙幣を係員が回収することとなる。
【０１２９】
ここで、ステップＳ２７０の判定により、個別解錠ボタン９５（図８）の押下（ＯＮ）がないと判定された場合には（ステップＳ２７０否定）、次いで、この個別解錠ボタン９５の押下（ＯＮ）がない状態が一定時間経過したかの判定をおこない（ステップＳ２７１）、一定時間経過した場合には（ステップＳ２７１肯定）、表示ランプ２２（図４）による表示（解錠許可の旨を示す表示）を消灯させる（ステップＳ２７２）。
【０１３０】
ここで、この表示ランプ２２の消灯は、管理サーバ２００による解錠許可通知が時間切れとなったことを示す。すなわち、係員は、この解錠許可を示す表示ランプ２２が消灯するため、ＢＶユニット部５０の解錠が不可となったことを知ることができる。
【０１３１】
このため、上述したように、管理サーバ２００による解錠許可通知が時間切れとなったことから、ステップＳ１１０により解錠の要求がおこなわれた玉貸出処理機２０のＢＶユニット部５０を対象とする解錠を実行することなく処理が終了となる（エンド）。
【０１３２】
以上説明したように、本実施例１に係る遊技媒体貸出システムによれば、管理装置２００では、紙幣収納状態判定部５３により、紙幣収納部５１内の紙幣の収納状態を判定し、この判定された紙幣の収納状態に応じて、自動的に解錠要求通知を送信した玉貸出処理機２０のＢＶユニット部５０に対する解錠許可通知／解錠不許可通知を送信するので、自動的に、解錠対象となる貸出処理機を確実に特定できるうえ、管理サーバ２００の指示に基づいて、解錠の判断を正確且つ確実におこなえる解錠の判断を正確且つ確実におこなうことができる。
【実施例２】
【０１３３】
（手動解錠許可／不許可処理）
次に、本発明の遊技媒体貸出システムに係る実施例２の詳細を説明する。本実施例２の特徴は、玉貸出処理機２０から送信された解錠要求通知に基づいて、紙幣収納状態判定部５３により、ＢＶユニット部５０内の紙幣の収納状態を判定し、判定された紙幣の収納状態に応じて、手動により玉貸出処理機２０のＢＶユニット部５０に対する解錠許可通知／解錠不許可通知を送信することに特徴がある。
【０１３４】
なお、この図１４に示すフローチャートと前述した図１３に示したフローチャートとの相違は、管理サーバ２００による手動による解錠許可／解錠不許可判定処理（ステップＳ１６５からステップＳ１９５）にあるため、以下では、この手動による解錠許可／解錠不許可判定処理を中心に説明し、その他、図１３のフローチャートと同様の処理手順については、詳細な説明は省略する。
【０１３５】
以下、本実施例２における処理手順について、図１４のフローチャートを参照して説明する。すなわち、図１４のフローチャートに示すように、管理サーバ２００は、ステップＳ１４０による玉貸出処理機２０から送信された解錠許可要求信号および識別ＩＤ信号と収納状態を受信すると（ステップＳ１５０肯定）、管理サーバ２００の表示部２３０（モニタ）に、玉貸出処理機２０に関する解錠指示設定画面２５０（図１１）を表示させた後（ステップＳ１６５）、管理者による設定待ちとなる（ステップＳ１７５）。
【０１３６】
そして、次のステップＳ１８５における解錠許可設定入力の判定において（ステップＳ１８５）、具体的には、例えば、解錠指示設定画面２５０（図１１）に紙幣が満杯である表示が点灯している場合、管理者は紙幣の回収を指示するべく解錠許可／解錠不許可設定欄２５９の「ＹＥＳ」アイコンを選択（押下）することから（ステップＳ１８５肯定）、次いで、ステップＳ１９５による解錠許可／解錠不許可通知のうち解錠許可通知が玉貸出処理機２０に送信されることとなる（ステップＳ１９５）。以下、前述したステップＳ２２０〜ステップＳ２８０の処理により、解錠対象となる玉貸出処理機２０に対する解錠がおこなわれる。
【０１３７】
以上説明したように、本実施例２に係る遊技媒体貸出システムによれば、管理サーバ２０は、玉貸出処理機２０から送信された紙幣の収納状態に基づいて、手動により解錠許可／解錠不許可の判定をおこなうので、紙幣の回収作業をおこなう係員は、管理者から送信される玉貸出処理機２０の解錠許可判定通知に基づいて、解錠対象となる玉貸出処理機２０を確実に特定できるため、解錠の判断を正確且つ確実におこなうことができる。
【実施例３】
【０１３８】
（解錠許可通知による自動解除）
次に、本発明の遊技媒体貸出システムに係る実施例３の詳細を説明する。前述した、実施例１および実施例２では、管理サーバ２００は、「解錠許可要求通知」が送信された玉貸出処理機２０の紙幣収納状態を対象として、ＢＶユニット部５０に対する解錠許可／解錠不許可判定をおこない、その判定結果を解錠許可通知或いは、解錠不許通知として玉貸出処理機２０に送信し、次いで、係員による解錠指示操作（リモコン９０による操作）によって、対象となるＢＶユニット部５０の解錠をおこなうようにしているが、本実施例３では、管理サーバ２００から解錠許可通知が送信された場合、係員によるリモコン９０の操作（個別解錠ボタン９５の押下（ＯＮ）による実際の解錠指示操作）がなくても、即座に、解錠対象となる玉貸出処理機２０に装着されたＢＶユニット部５０に対する解錠を自動的におこなうことに特徴がある。
【０１３９】
なお、この図１５に示すフローチャートにおいて、前記図１４に示したフローチャートとの相違は、管理サーバ２００から解錠指示通知が送信された後の処理手順にあるため、以下では、本実施例３の特徴であるステップＳ２３０からの処理手順について説明し、その他、前記図１４のフローチャートと同様の処理手順については、詳細な説明は省略する。
【０１４０】
以下、本実施例３について、図１５のフローチャートを参照して説明する。すなわち、図１５のフローチャートに示すように、管理サーバ２００から送信された解錠許可信号／解錠不許可信号を受信すると（ステップＳ２３０肯定）、以下、この管理サーバ２００から送信された信号の判定をおこなう。具体的には、管理サーバ２００から送信された「解錠指示判定通知」が解錠許可信号か解錠不許可信号であるかの判定をおこなう（ステップＳ２４０）。
【０１４１】
そして、このステップＳ２４０の判定により、解錠指示判定通知が解錠許可通知の場合には（ステップＳ２４０肯定）、表示ランプ２２（図４）を点灯させ（ステップＳ２５０）、以下、ＢＶロック機構部５４によるロック機構を解錠する（ステップＳ２８０）。以下、この解錠により突出されたＢＶユニット部５０において、係員による紙幣回収作業をおこなうものとなる。
【０１４２】
以上説明したように、本実施例３の場合、管理サーバ２００からＢＶユニット部５０に対する解錠許可通知が送信された場合、係員によるリモコン９０の操作（個別解錠ボタン９５の押下（ＯＮ）による実際の解錠指示操作）がなくても、管理サーバ２００により解錠が許可されたＢＶユニット部５０の解錠を自動的におこなうため、係員によるリモコン９０操作が不要となり、前述した実施例１および実施例２よりも紙幣の回収作業をより効率的におこなうことができる。
【０１４３】
（他の実施例）
さて、これまで本発明の実施例について説明したが、本発明は上述した実施例以外にも、上記特許請求の範囲に記載した技術的思想の範囲内において種々の異なる実施例にて実施されてもよいものである。
【０１４４】
また、本実施例では、本発明に係る遊技媒体貸出システムをパチンコ遊技に適用した場合を示しているが、本発明は、パチンコ遊技に限定することなくパチスロ機による遊技システムにも好適に適用することができる。具体的には、パチスロ機によるメダル貸出処理機に備えたメダル補給用の補給用扉に対する解錠制御システムとして、本発明を適用することができる。
【０１４５】
また、本実施例では、パチンコ機の内部から玉が投出される（所謂、ＣＲ機方式）について説明したが、本発明はこれに限定されるものではなく、玉貸処理機からノズルを介して玉が投出される方式にも本発明は好適に適用することができる。
【０１４６】
また、本実施例において説明した各処理のうち、自動的におこなわれるものとして説明した処理の全部または一部を手動的におこなうこともでき、あるいは、手動的におこなわれるものとして説明した処理の全部または一部を公知の方法で自動的におこなうこともできる。この他、上記文書中や図面中で示した処理手順、制御手順、具体的名称、各種のデータやパラメータを含む情報については、特記する場合を除いて任意に変更することができる。
【０１４７】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【産業上の利用可能性】
【０１４８】
以上のように、本発明に係る遊技媒体貸出システムは、解錠対象となるＢＶユニット部の解錠を確実におこなうことができる遊技媒体貸出システムに適している。
【図面の簡単な説明】
【０１４９】
【図１】実施例１に係る遊技媒体貸出システムの概要を示す説明図である。
【図２】実施例１に係る遊技媒体貸出システムの概略構成を示す機能ブロック図である。
【図３】図２に示した管理サーバの構成を示す機能ブロック図である。
【図４】図２に示した遊技媒体貸出システムで適用する玉貸処理機およびパチンコ機の外観正面図である。
【図５】玉貸出処理機の内部構成を示す機能ブロック図である。
【図６】リモコンによるＢＶユニット部の解錠動作を説明する玉貸出処理機の側面図である。
【図７】リモコンによるＢＶユニット部の解錠動作を説明する玉貸出処理機の斜視図である。
【図８】リモコンの外観を示す正面図である。
【図９】管理サーバデータベースの構成を示す図である。
【図１０】メニュー設定画面の一例を示す図である。
【図１１】解錠指示設定画面の一例を示す図である。
【図１２】本実施例に係る遊技媒体貸出システムの基本制御手順を示すフローチャートである。
【図１３】本実施例１に係る解錠処理手順の詳細を示すフローチャートである。
【図１４】本実施例２に係る解錠処理手順の詳細を示すフローチャートである。
【図１５】本実施例３に係る解錠処理手順の詳細を示すフローチャートである。
【符号の説明】
【０１５０】
１０  パチンコ機
１０ａ  上皿
１１  度数表示部
１２  貸出ボタン
１３  返却ボタン
１５  紙幣挿入／返却口
２０  玉貸出処理機
２２  表示ランプ
２３  表示部
２４  リモコン用受光部
２５  金額表示部
２６  カード挿入／返却口
２７  カード処理部
２８  通信Ｉ／Ｆ
２９、２９０  制御部
３３  電源部
５０  ＢＶユニット部
５１  紙幣収納部
５２  紙幣識別部
５３  紙幣収納状態判定部
５４  ＢＶロック機構部
５５  メモリ
５６  ＢＶユニット制御部
５７  解錠通知判定部
９０  リモコン
９１  設定入力部
９２  リセットキー
９３  設定キー
９４  取消キー
９５  個別解錠ボタン
９６  送りキー
９７  戻しキー
９８  テンキー入力部
２００  管理サーバ
２１０  管理サーバデータベース
２２０  通信Ｉ／Ｆ部
２３０  表示部
２３５  表示制御部
２５０  解錠指示設定画面
２５９  解錠許可／解錠不許可設定欄
２６０  入力部
２７０  出力部
２９０  制御部
２９５  解錠許可／解錠不許可判定部
３００  島コントローラ
３５０  中継器
【図１】
2006320398.tif 000003
【図２】
2006320398.tif 000004
【図３】
2006320398.tif 000005
【図４】
2006320398.tif 000006
【図５】
2006320398.tif 000007
【図６】
2006320398.tif 000008
【図７】
2006320398.tif 000009
【図８】
2006320398.tif 000010
【図９】
2006320398.tif 000011
【図１０】
2006320398.tif 000012
【図１１】
2006320398.tif 000013
【図１２】
2006320398.tif 000014
【図１３】
2006320398.tif 000015
【図１４】
2006320398.tif 000016
【図１５】
2006320398.tif 000017